(57)【要約】【課題】装置カバーの組み付け時に、ハウジング本体内のＬＥＤランプのリードがバスバーの圧接接続部から抜けることを防止することができ、しかも、組み立て作業工程の増加に起因した生産性の低下を防止することができるＬＥＤ照明装置におけるリード抜け止め構造を提供すること。【解決手段】装置カバー２８に、装置カバー２８をハウジング本体２５に取り付けた際に、ＬＥＤランプ３の砲弾部３ａの一側を挿通してハウジング本体２５の底部側に延出する弾性片３１を突設すると共に、ハウジング本体２５の底部に、ハウジング本体２５内のバスバー５に圧接接続されているＬＥＤランプ３のリード３ｂ側に弾性片３１の先端部３１ａを撓み変形させるガイド面３３を設ける。【選択図】図３
2010212065.tif 000002
【特許請求の範囲】
【請求項１】
発光部である砲弾部の基端から複数本のリードが延出したＬＥＤランプと、
前記リードを圧接接続するバスバーが上部を開放した略箱形のハウジング本体の底部側に装備されて、前記ＬＥＤランプが前記砲弾部を上方に突出させた形態で組み込まれる装置ハウジングと、
前記ハウジング本体の上部に組み付けられて前記ハウジング本体の上部開放部を覆う装置カバーと、を備え、
且つ、前記装置カバーには、前記砲弾部を露呈させるための開口部と、前記ハウジング本体に装着した際に前記砲弾部の両側を押さえて前記砲弾部を前記開口部に位置決めする砲弾部位置決めリブとを備えるＬＥＤ照明装置において、
前記装置カバーの組み付け時に、前記バスバーに圧接接続されている前記ＬＥＤランプのリードが前記バスバーの圧接接続部から抜けることを防止するＬＥＤ照明装置におけるリード抜け止め構造であって、
前記装置カバーに突設されて、該装置カバーを前記ハウジング本体に取り付けた際に、前記砲弾部の一側を挿通して前記ハウジング本体の底部側に延出する弾性片と、
前記弾性片が対向する前記ハウジング本体の底部に設けられて、前記弾性片の先端部を前記リード側に撓み変形させて、前記リードの圧接解除方向への移動を規制する位置に前記弾性片の先端部を位置決めするガイド面と、を備えたことを特徴とするＬＥＤ照明装置におけるリード抜け止め構造。
【請求項２】
前記弾性片は、前記装置カバーと前記ハウジング本体との嵌合方向に沿う真直な棒状に、前記装置カバーに垂設したことを特徴とする請求項１に記載のＬＥＤ照明装置におけるリード抜け止め構造。
【請求項３】
前記ガイド面が、前記弾性片の先端部を前記バスバーの圧接接続位置の近傍に弾性変位させて、前記圧接接続位置から圧接解除方向への前記リードの移動を規制することを特徴とする請求項１又は２に記載のＬＥＤ照明装置におけるリード抜け止め構造。
【請求項４】
前記ガイド面が、傾斜面であることを特徴とする請求項３に記載のＬＥＤ照明装置におけるリード抜け止め構造。
【請求項５】
前記ガイド面が、湾曲面であることを特徴とする請求項３に記載のＬＥＤ照明装置におけるリード抜け止め構造。
【発明の詳細な説明】
【技術分野】
【０００１】
本発明は、車両の室内照明等に使用されるＬＥＤ照明装置におけるリード抜け止め構造に関する。
【背景技術】
【０００２】
図７〜図９は、車両の室内照明等に使用されるＬＥＤ照明装置の従来例を示したものである。
ここに示したＬＥＤ照明装置１は、発光部である砲弾部３ａの基端から複数本のリード３ｂが延出したＬＥＤランプ３と、リード３ｂを圧接接続する圧接刃を有したバスバー５が上部を開放した略箱形のハウジング本体７の底部側に装備された装置ハウジング９と、ハウジング本体７の上部に組み付けられてハウジング本体７の上部開放部を覆う装置カバー１１とを備えている。
【０００３】
ハウジング本体７の底部のバスバー５には、ＬＥＤランプ３のリード３ｂを図８の矢印Ｂ方向から割り込ませて圧接接続できるように、圧接刃が装備されている。バスバー５に圧接接続されるＬＥＤランプ３は、図８に示したように、砲弾部３ａをハウジング本体７の上方に突出させた形態でハウジング本体７に組み込まれる。
【０００４】
なお、ハウジング本体７の底部には、バスバー５に圧接されるリード３ｂ相互が短絡しないように、隣接するリード３ｂ間に介在する隔壁８が立設されている。
【０００５】
装置カバー１１は、図７〜図９に示すように、装置ハウジング９に装着されているＬＥＤランプ３の砲弾部３ａを露呈させるための開口部１３と、ハウジング本体７に装着した際に砲弾部３ａの両側を押さえて砲弾部３ａを開口部１３に位置決めする砲弾部位置決めリブ１５とを備えている。
砲弾部位置決めリブ１５は、図７に示すように、砲弾部３ａを挟むように、一対装備されている。
【０００６】
以上に説明したＬＥＤ照明装置１は、ＬＥＤランプ３の組付けが完了した装置ハウジング９の上から、図８の矢印Ａに示すように、装置カバー１１を押し付けて、装置カバー１１を不図示の係合手段によりハウジング本体７に係合させることで、図９に示した組立状態となる。
【０００７】
組立状態では、ＬＥＤランプ３は、リード３ｂがバスバー５の圧接刃により挾持されると共に、砲弾部３ａが一対の砲弾部位置決めリブ１５で挟まれて、上部及び下部のそれぞれが固定された状態になる。
【０００８】
ところが、上記ＬＥＤ照明装置１では、ハウジング本体７に装置カバー１１を組み付ける際に、図１０に示すように、砲弾部位置決めリブ１５が砲弾部３ａに干渉して、砲弾部３ａが傾倒すると、リード３ｂには、砲弾部３ａの傾倒方向と逆側（図１０では、矢印Ｃ側）に圧接を解除する力が作用し、その力のために、リード３ｂが圧接刃の溝５ａから抜けるという不都合が発生するおそれがあった。
【０００９】
そこで、このような不都合の発生を防止する対策として、ハウジング本体の底部に、バスバーを突き当てることで、バスバーに圧接されているリードの抜けを防止する位置決め壁を突設する技術が提案されている（下記特許文献１参照）。
【先行技術文献】
【特許文献】
【００１０】
【特許文献１】発明協会公開技報  公技番号２００６−５０５３７４号
【発明の概要】
【発明が解決しようとする課題】
【００１１】
ところが、上記特許文献１の技術では、ＬＥＤランプをバスバーに圧接した後、作業者がバスバーを位置決め壁に突き当てる作業工程が新たに必要になり、組み立て作業工程の増加のために、ＬＥＤ照明装置の生産性が低下するという問題が生じた。
【００１２】
そこで、本発明の目的は上記課題を解消することに係り、装置カバーの組み付け時に、ハウジング本体内のＬＥＤランプのリードがバスバーの圧接接続部から抜けることを防止することができ、しかも、組み立て作業工程が増加することがなく、組み立て作業工程の増加に起因した生産性の低下を防止することができるＬＥＤ照明装置におけるリード抜け止め構造を提供することである。
【課題を解決するための手段】
【００１３】
本発明の前述した目的は、下記の構成により達成される。
（１）発光部である砲弾部の基端から複数本のリードが延出したＬＥＤランプと、
前記リードを圧接接続するバスバーが上部を開放した略箱形のハウジング本体の底部側に装備されて、前記ＬＥＤランプが前記砲弾部を上方に突出させた形態で組み込まれる装置ハウジングと、
前記ハウジング本体の上部に組み付けられて前記ハウジング本体の上部開放部を覆う装置カバーと、を備え、
且つ、前記装置カバーには、前記砲弾部を露呈させるための開口部と、前記ハウジング本体に装着した際に前記砲弾部の両側を押さえて前記砲弾部を前記開口部に位置決めする砲弾部位置決めリブとを備えるＬＥＤ照明装置において、
前記装置カバーの組み付け時に、前記バスバーに圧接接続されている前記ＬＥＤランプのリードが前記バスバーの圧接接続部から抜けることを防止するＬＥＤ照明装置におけるリード抜け止め構造であって、
前記装置カバーに突設されて、該装置カバーを前記ハウジング本体に取り付けた際に、前記砲弾部の一側を挿通して前記ハウジング本体の底部側に延出する弾性片と、
前記弾性片が対向する前記ハウジング本体の底部に設けられて、前記弾性片の先端部を前記リード側に撓み変形させて、前記リードの圧接解除方向への移動を規制する位置に前記弾性片の先端部を位置決めするガイド面と、を備えたことを特徴とするＬＥＤ照明装置におけるリード抜け止め構造。
【００１４】
（２）前記弾性片は、前記装置カバーと前記ハウジング本体との嵌合方向に沿う真直な棒状に、前記装置カバーに垂設したことを特徴とする上記（１）に記載のＬＥＤ照明装置におけるリード抜け止め構造。
【００１５】
（３）前記ガイド面が、前記弾性片の先端部を前記バスバーの圧接接続位置の近傍に弾性変位させて、前記圧接接続位置から圧接解除方向への前記リードの移動を規制することを特徴とする上記（１）又は（２）に記載のＬＥＤ照明装置におけるリード抜け止め構造。
【００１６】
（４）前記ガイド面が、傾斜面であることを特徴とする前記（３）に記載のＬＥＤ照明装置におけるリード抜け止め構造。
【００１７】
（５）前記ガイド面が、湾曲面であることを特徴とする前記（３）に記載のＬＥＤ照明装置におけるリード抜け止め構造。
【００１８】
上記（１）の構成によれば、ＬＥＤランプが装着されている装置ハウジングにおけるハウジング本体の上部に装置カバーを取り付けると、装置カバーに突設された弾性片の先端部が、ハウジング本体の底部のガイド面によってＬＥＤランプのリード側に撓み変形させられて、前記リードの圧接解除方向への移動を規制する位置に位置決めされる。
【００１９】
そのため、装置カバーの砲弾部位置決めリブがＬＥＤランプの砲弾部に干渉して、それによって砲弾部の傾倒方向と逆方向に相当する圧接解除方向にリードを移動させる力が作用しても、リードの圧接解除方向の移動が、弾性片の先端部との当接により規制され、リードの抜けが発生しない。
即ち、装置カバーの組み付け時に、ハウジング本体内のＬＥＤランプのリードがバスバーの圧接接続部から抜けることを防止することができる。
【００２０】
また、上記のリードの抜け防止は、装置カバーをハウジング本体に組み付けると、装置カバー側の弾性片の先端部が自動的にリードの抜けを防止する位置に移動するもので、作業者が特別に操作する作業工程が必要とならないため、組み立て作業工程が増加することがなく、組み立て作業工程の増加に起因した生産性の低下を防止することもできる。
【００２１】
上記（２）の構成によれば、装置カバーに追加装備した弾性片は、装置カバーを樹脂の射出成形により形成する場合の型抜き方向に沿う真直な棒状になるため、成形が容易になり、成形不良による装置カバーの歩留まりの低下を防止することができる。
【００２２】
上記（３）の構成によれば、ＬＥＤランプのリードの移動を規制する弾性片の先端部の位置が、バスバーの圧接接続位置の近傍に設定されたことで、砲弾部の傾倒に伴ってリードに圧接解除方向の力が作用しても、リードの位置を、当初の圧接接続位置に維持することが可能になり、リードの抜け止めをより確実にすることができる。
【００２３】
上記（４）、（５）の構成によれば、簡単な構成で、弾性片を案内することができ、ハウジング本体の製造が容易であり、金型を大幅に改造する必要もない。
【発明の効果】
【００２４】
本発明によるＬＥＤ照明装置におけるリード抜け止め構造によれば、装置ハウジングへの装置カバーの組み付け時に、ＬＥＤランプの砲弾部を傾倒する力が作用して、その結果、ＬＥＤランプのリードに圧接解除方向の力が作用しても、リード側に位置決めされている弾性片の先端部がリードの圧接解除方向への移動を規制するため、リードの抜けが発生しない。従って、装置カバーの組み付け時に、ハウジング本体内のＬＥＤランプのリードがバスバーの圧接接続部から抜けることを防止することができる。
【００２５】
また、上記のリードの抜け防止は、装置カバーをハウジング本体に組み付けると、装置カバー側の弾性片の先端部が自動的にリードの抜けを防止する位置に移動するもので、作業者が特別に操作する作業工程が必要とならないため、組み立て作業工程が増加することがなく、組み立て作業工程の増加に起因した生産性の低下を防止することもできる。
【図面の簡単な説明】
【００２６】
【図１】本発明に係るＬＥＤ照明装置におけるリード抜け止め構造の一実施形態の装置カバーと装置ハウジングの組み付け前の側面図である。
【図２】図１のＤ矢視図である。
【図３】図２のＥ−Ｅ断面図である。
【図４】図３に示した装置カバーを装置ハウジングの上部に組み付け完了した状態の断面図である。
【図５】図４のＦ矢視図である。
【図６】図５のＧ−Ｇ断面図で、装置ハウジング内のＬＥＤランプが傾倒した場合の弾性片の作用説明図である。
【図７】従来のＬＥＤ照明装置の組立前の平面図である。
【図８】図７のＨ−Ｈ断面図である。
【図９】図８に示した装置カバーと装置ハウジングの組立状態の断面図である。
【図１０】図９に示したＬＥＤ照明装置においてリードの抜けが発生した状態の説明図である。
【発明を実施するための形態】
【００２７】
以下、本発明に係るＬＥＤ照明装置におけるリード抜け止め構造の好適な実施形態について、図面を参照して詳細に説明する。
【００２８】
図１〜図４は本発明に係るＬＥＤ照明装置におけるリード抜け止め構造の一実施形態を示したものである。
図１〜図４に示したＬＥＤ照明装置２１は、図７〜図９に示したＬＥＤ照明装置１に、リード抜け止め構造２３を追加したもので、リード抜け止め構造２３以外の構成は、図７〜図９に示したＬＥＤ照明装置１と同様である。ＬＥＤ照明装置１と同様の構成については、同番号を付して説明を簡略化する。
【００２９】
この一実施形態のＬＥＤ照明装置２１は、発光部である砲弾部３ａの基端から複数本のリード３ｂが延出したＬＥＤランプ３と、リード３ｂを圧接接続する圧接刃を有したバスバー５が上部を開放した略箱形のハウジング本体２５の底部側に装備された装置ハウジング２６と、ハウジング本体２５の上部に組み付けられてハウジング本体２５の上部開放部を覆う装置カバー２８とを備えている。
【００３０】
ハウジング本体２５の底部のバスバー５には、ＬＥＤランプ３のリード３ｂを図３の矢印Ｘ方向から割り込ませて圧接接続できるように、圧接刃が装備されている。バスバー５に圧接接続されるＬＥＤランプ３は、図３に示したように、砲弾部３ａをハウジング本体２５の上方に突出させた形態でハウジング本体２５に組み込まれる。
【００３１】
なお、ハウジング本体２５の底部には、バスバー５に圧接されるリード３ｂ相互が短絡しないように、隣接するリード３ｂ間に介在する隔壁８が立設されている。
【００３２】
装置カバー２８は、図２及び図３に示すように、装置ハウジング２６に装着されているＬＥＤランプ３の砲弾部３ａを露呈させるための開口部１３と、ハウジング本体２５に装着した際に砲弾部３ａの両側を押さえて砲弾部３ａを開口部１３に位置決めする一対の砲弾部位置決めリブ１５とを備えている。
一対の砲弾部位置決めリブ１５は、ＬＥＤ照明装置１の場合と同様に（図７に示すように）、砲弾部３ａを挟むように、一対装備されている。
【００３３】
本実施形態の場合、装置カバー２８には、装置カバー２８をハウジング本体２５に取り付けた際に、砲弾部３ａの一側を挿通してハウジング本体２５の底部側に延出する弾性片３１が設けられている。
本実施形態の場合、弾性片３１は、図２に示すように、開口部１３の周縁で、一対の砲弾部位置決めリブ１５のほぼ中間の位置に設けられている。
【００３４】
本実施形態の場合、弾性片３１は、図３に示すように、装置カバー２８とハウジング本体２５との嵌合方向（図３の矢印Ｙ方向）に沿う真直な棒状に、前記装置カバー２８に垂設されている。
【００３５】
また、本実施形態の場合、図３に示すように、弾性片３１が対向するハウジング本体２５の底部には、ガイド面３３が設けられている。
このガイド面３３は、装置カバー２８をハウジング本体２５に組み付けた際に、図４に示すように、弾性片３１の先端部３１ａをリード３ｂ側に撓み変形させて、リード３ｂの圧接解除方向への移動を規制する位置に弾性片３１の先端部３１ａを位置決めする。
【００３６】
本実施形態の場合、ガイド面３３は、傾斜面または湾曲面に形成されていて、弾性片３１の先端部３１ａをバスバー５の圧接接続位置の近傍に弾性変位させて、圧接接続位置から圧接解除方向へのリード３ｂの移動を規制する。
【００３７】
以上の弾性片３１とガイド面３３は、ハウジング本体２５に装置カバー２８を組み付けた際に、バスバー５に圧接接続されているＬＥＤランプ３のリード３ｂがバスバー５の圧接接続部から抜けることを防止するリード抜け止め構造２３を構成している。
【００３８】
以上に説明したＬＥＤ照明装置２１は、ＬＥＤランプ３の組付けが完了した装置ハウジング２６の上から、図３の矢印Ｚに示すように、装置カバー２８を押し付けて、装置カバー２８を不図示の係合手段によりハウジング本体２５に係合させることで、図４に示した組立状態となる。
【００３９】
以上に説明したように、リード抜け止め構造２３が装備されたＬＥＤ照明装置２１では、ＬＥＤランプ３が装着されている装置ハウジング２６におけるハウジング本体２５の上部に装置カバー２８を取り付けると、装置カバー２８に突設された弾性片３１の先端部３１ａが、ハウジング本体２５の底部のガイド面３３によってＬＥＤランプ３のリード３ｂ側に撓み変形させられて、図４及び図６に示すように、リード３ｂの圧接解除方向への移動を規制する位置に位置決めされる。
【００４０】
そのため、装置カバー２８の砲弾部位置決めリブ１５がＬＥＤランプ３の砲弾部３ａに干渉して、それによって砲弾部３ａの傾倒方向と逆方向に相当する圧接解除方向にリード３ｂを移動させる力が作用しても、図６に示したように、リード３ｂの圧接解除方向（図６の矢印Ｉ方向）の移動が、弾性片３１の先端部３１ａとの当接により規制され、リード３ｂの抜けが発生しない。
即ち、装置カバー２８の組み付け時に、ハウジング本体２５内のＬＥＤランプ３のリード３ｂがバスバー５の圧接接続部から抜けることを防止することができる。
【００４１】
また、本実施形態においてリード３ｂの抜け防止を行うリード抜け止め構造２３は、装置カバー２８をハウジング本体２５に組み付けると、装置カバー２８側の弾性片３１の先端部３１ａが自動的にリード３ｂの抜けを防止する位置に移動するもので、作業者が特別に操作する作業工程が必要とならないため、組み立て作業工程が増加することがなく、組み立て作業工程の増加に起因した生産性の低下を防止することもできる。
【００４２】
また、本実施形態のリード抜け止め構造２３の場合、弾性片３１は、装置カバー２８とハウジング本体２５との嵌合方向（図３の矢印Ｙ方向）に沿う真直な棒状に、装置カバー２８に垂設されている。
【００４３】
そのため、弾性片３１は、装置カバー２８を樹脂の射出成形により形成する場合の型抜き方向に沿う真直な棒状になるため、成形が容易になり、成形不良による装置カバー２８の歩留まりの低下を防止することができる。
【００４４】
また、本実施形態のリード抜け止め構造２３の場合、ガイド面３３は、図４にも示したように、弾性片３１の先端部３１ａをバスバー５の圧接接続位置の近傍に弾性変位させて、圧接接続位置から圧接解除方向へのリード３ｂの移動を規制する。
【００４５】
そのため、砲弾部３ａの傾倒に伴ってリード３ｂに圧接解除方向の力が作用しても、リード３ｂの位置を、当初の圧接接続位置に維持することが可能になり、リード３ｂの抜け止めをより確実にすることができる。
【００４６】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００４７】
３  ＬＥＤランプ
３ａ  砲弾部
３ｂ  リード
５  バスバー
８  隔壁
１３  開口部
１５  砲弾部位置決めリブ
２１  ＬＥＤ照明装置
２３  リード抜け止め構造
２５  ハウジング本体
２６  装置ハウジング
２８  装置カバー
３１  弾性片
３１ａ  先端部
３３  ガイド面
【図１】
2010212065.tif 000003
【図２】
2010212065.tif 000004
【図３】
2010212065.tif 000005
【図４】
2010212065.tif 000006
【図５】
2010212065.tif 000007
【図６】
2010212065.tif 000008
【図７】
2010212065.tif 000009
【図８】
2010212065.tif 000010
【図９】
2010212065.tif 000011
【図１０】
2010212065.tif 000012